(57)【要約】【課題】熱交換の効率が大幅に向上になり、CPUの過熱による故障や焼損がなくなる。【解決手段】内部に収容空間を有しCPUに貼り付けられた放熱ブロックを含み、前記放熱ブロックは、その収容空間には作動液が注入してあり、その両端には互いに対応し前記放熱ブロックの収容空間と連通した放熱チューブが挿入し設けてあり、傾斜な案内チューブを介して前記二つの放熱チューブが連通状態であり、前記案内チューブには放熱フィンが複数に設けてあり、前記放熱フィンの上方にはファンが設けてあることを特徴とするCPU用ラジエータの構造。【選択図】図３
0003124917.tif 000002
【実用新案登録請求の範囲】
【請求項１】
内部に収容空間を有しCPUに貼り付けられた放熱ブロックを含み、前記放熱ブロックは、その収容空間には作動液が注入してあり、その両端には互いに対応し前記放熱ブロックの収容空間と連通した放熱チューブが挿入し設けてあり、傾斜な案内チューブを介して前記二つの放熱チューブが連通状態になり、前記案内チューブには放熱フィンが複数に設けてあり、前記放熱フィンの上方にはファンが設けてあることを特徴とする、
CPU用ラジエータの構造。
【請求項２】
前記作動液は液体状態の冷媒であることを特徴とする、請求項１に記載のCPU用ラジエータの構造。
【請求項３】
前記二つの放熱チューブのうちの一つの底端は前記放熱ブロックの収容空間の底端まで挿入されることを特徴とする、請求項１に記載のCPU用ラジエータの構造。
【請求項４】
前記作動液は液体状態の冷媒であることを特徴とする、請求項３に記載のCPU用ラジエータの構造。
【請求項５】
前記二つの放熱チューブのうちの他者の上端は注入口に形成され、作動液が注入された後に前記注入口が閉鎖されることを特徴とする、請求項１に記載のCPU用ラジエータの構造。
【請求項６】
前記作動液は液体状態の冷媒であることを特徴とする、請求項５に記載のCPU用ラジエータの構造。
【考案の詳細な説明】
【技術分野】
【０００１】
本考案は、CPU用ラジエータの構造に係り、特に、放熱ブロックに接続された二つの放熱チューブの他端に接続された、傾斜な案内チューブにより、CPUで発生した熱によって気化された作動液が冷却し液化されて放熱ブロックに回流する。このような作用が自動的に持続するので、熱交換の効率が大幅に向上し、CPUの過熱による故障がなくなるCPU用ラジエータの構造に関するものである。
【背景技術】
【０００２】
CPU（Central Processing Unit／マイクロプロセッサ）は、コンピュータなどの設備の心臓であり、もっとも重要な核心素子の一つであり、コンピュータの周辺装置の動作は全てCPUに制御される。
しかし、CPUの高速計算中に発生した熱はCPUの計算速度を落とす悪影響があり、更に、計算が停止になり、又はCPUが焼損になることもあった。
CPUの放熱を良くしてCPUの計算速度を速くするために、多数の放熱フィンを有するラジエータをCPUの上面に設けることは一般になり、これにより、CPUの計算中に発生した熱が放熱フィンに伝導され、放熱フィンの上に設けた放熱ファンによる気流により、熱が外部に飛ばされ、放熱効果を達成することができる。
【０００３】
図４に示すのは従来のCPU用ラジエータ８の構造であり、前記ラジエータ８は、プレート８１の上で等距離に配列された放熱フィン８２が多数に設けてある。そして前記ラジエータ８の上には放熱フィン８２を強制に冷却するためのファン９が設けてあり、これにより、CPUの計算中に発生した熱が有効に放熱され、CPUの過熱による故障や焼損を回避することができる。
【考案の開示】
【考案が解決しようとする課題】
【０００４】
しかしながら、従来のCPU用ラジエータ８によれば、その構造は単純に放熱フィンを放熱部材とするので、放熱効果は良くなく、CPUの温度を有効に降下することができなく、だから、CPUの計算速度が低下する欠点があった。
【課題を解決するための手段】
【０００５】
上記欠点を解決するためになされた本願の第１考案は、内部に収容空間を有しCPUに貼り付けられた放熱ブロックを含み、前記放熱ブロックは、その収容空間には作動液が注入してあり、その両端には互いに対応し前記放熱ブロックの収容空間と連通した放熱チューブが挿入し設けてあり、傾斜な案内チューブを介して前記二つの放熱チューブが連通状態になり、前記案内チューブには放熱フィンが複数に設けてあり、前記放熱フィンの上方にはファンが設けてあることを特徴とするCPU用ラジエータの構造であることを要旨としている。
【０００６】
本願の第２考案では、前記作動液は液体状態の冷媒であることを特徴とする、第１考案に記載のCPU用ラジエータの構造であることを要旨としている。
【０００７】
本願の第３考案では、前記二つの放熱チューブのうちの一つの底端は前記放熱ブロックの収容空間の底端まで挿入されることを特徴とする、第１考案に記載のCPU用ラジエータの構造であることを要旨としている。
【０００８】
本願の第４考案では、前記作動液は液体状態の冷媒であることを特徴とする、第３考案に記載のCPU用ラジエータの構造であることを要旨としている。
【０００９】
本願の第５考案では、前記二つの放熱チューブのうちの他者の上端は注入口に形成され、作動液が注入された後に前記注入口が閉鎖されることを特徴とする、第１考案に記載のCPU用ラジエータの構造であることを要旨としている。
【００１０】
本願の第６考案では、前記作動液は液体状態の冷媒であることを特徴とする、第５考案に記載のCPU用ラジエータの構造であることを要旨としている。
【考案の効果】
【００１１】
本考案に係るCPU用ラジエータの構造によれば、放熱ブロックに接続された二つの放熱チューブの他端に接続された、傾斜な案内チューブにより、CPUで発生した熱によって気化された作動液が冷却し液化されて放熱ブロックに回流する。
このような作用が自動的に持続するので、熱交換の効率が大幅に向上し、CPUの過熱による故障がなくなる。
【考案を実施するための最良の形態】
【００１２】
以下、添付図面を参照して本考案の好適な実施の形態を詳細に説明する。
【００１３】
まず、図１乃至図３を参照する。
本考案に係るラジエータは、内部に収容空間１１を有しCPU２の上面に貼り付けられた放熱ブロック１を含み、前記放熱ブロック１は、その両端には互いに対応し前記放熱ブロック１の収容空間１１と連通した放熱チューブ３，４が挿入し設けてある。
前記放熱チューブ３の底端は前記放熱ブロック１の収容空間１１の底端まで挿入される。なお、前記放熱チューブ４の上端は注入口４１に形成され、作動液（例えば冷媒）が注入された後に前記注入口４１が閉鎖され、傾斜した案内チューブ６を介して前記二つの放熱チューブ３，４が連通状態になる。
前記案内チューブ６の周面に多数の放熱フィン６１が等距離に配列され、前記放熱フィン６１の上方にはファン７が設けてある。
【００１４】
また、図３を参照して本考案の使用状態を詳細に説明する。
まず、本考案に係るラジエータの放熱チューブ４の一端に形成された注入口４１に作動液５（例えば冷媒）を注入して、前記作動液５が放熱ブロック１にある収容空間１１に流れ込む。その後、前記注入口４１を閉鎖して前記ラジエータをCPU２の上面に貼り付ける。これにより、CPU２の計算中に発生した熱が液体状態の前記作動液５に吸収され、吸熱した前記作動液５が蒸発して放熱チューブ４を経由して案内チューブ６に進入し、前記案内チューブ６の周面に設けられた、ファン７によって強制に冷却される多数の放熱フィン６１が前記気化された作動液５の熱を吸収する。これにより、前記気化された作動液５が凝縮されて前記案内チューブ６の傾斜方向に沿って放熱チューブ３に進入して前記収容空間１１に戻る。
上記のように、作動液５が蒸発−冷却−凝縮−蒸発のサイクルを不断に循環すると、CPU２の計算中に発生した熱を有効に外部に排出することができる。
【００１５】
上記の説明から明らかなように、本考案に係るラジエータと従来のラジエータを比べると、本考案に係る放熱ブロック１の収容空間１１内に高効率の熱交換能力を持つ作動液５（例えば冷媒）を注入してあり、傾斜した案内チューブ６を介して前記二つの放熱チューブ３，４が連通状態になる。前記案内チューブ６の周面に複数の放熱フィン６１が等距離に配列され、前記放熱フィン６１の上方にはファン７が設けてある。だから、作動液５（例えば冷媒）が蒸発−冷却−凝縮−蒸発のサイクルを不断に循環すると、CPU２の計算中に発生した熱を有効に外部に排出することができ、ひいてはCPUの計算の速度および安定性が向上になる。
【図面の簡単な説明】
【００１６】
【図１】本考案の構造を示す斜視図である。
【図２】本考案の構造を示す上面図である。
【図３】本考案の使用状態を示す概略図である。
【図４】従来のラジエータの構造を示す概略図である。
【符号の説明】
【００１７】
１        放熱ブロック                  １１      収容空間
２        CPU                           ３        放熱チューブ
４        放熱チューブ                  ４１      注入口
５        作動液                        ６        案内チューブ
６１      放熱フィン                    ７        ファン
８        ラジエータ                    ８１      プレート
８２      放熱フィン                    ９        ファン
１０      CPU
【図１】
0003124917.tif 000003
【図２】
0003124917.tif 000004
【図３】
0003124917.tif 000005
【図４】
0003124917.tif 000006